(57)【特許請求の範囲】
【請求項１】
永久磁石の両磁極面にそれぞれヨークを配置して磁性体片を吸着保持可能なマグネットキャッチを構成するとともに、
前記ヨークの一方の端縁に形成された突片側に、前記磁性体片の吸着保持時と離脱時とにおける磁束密度の変化により開閉成動作されるリードスイッチを配置してなるドア吸着保持装置において、
前記リードスイッチの近傍部には該リードスイッチに直列に接続され、前記リードスイッチが開成または閉成状態にあるときにのみ点灯する発光装置としての発光ダイオードが設けられ、
前記マグネットキャッチ、リードスイッチ及び発光装置が単一のケース内に収容されており、このケースには発光装置の点灯を確認できる覗き窓が設けられているドア吸着保持装置。
【請求項２】
請求項１において、
前記リードスイッチ及び発光装置が透明ないし半透明の樹脂によりモールドされているとともに、リードスイッチの２本のリード線が１本の耐油・耐水コードで被覆されているドア吸着保持装置。
【発明の詳細な説明】
【０００１】
【発明の属する技術分野】
本発明は、ＯＡ機器などの各種機器を収納するケース、キャビネット、家具等のドア（蓋や扉）または工場の生産設備の安全カバーや扉を磁力により閉状態に吸着保持する場合に用いられるドア吸着保持装置に関するものである。
【０００２】
【従来の技術】
この種のドア吸着保持装置として、従来一般には、永久磁石の両磁極面にそれぞれ鉄等のヨークを配置して、ドア側に取り付けた鉄片等の可動磁性体片（アーマチュア片）を吸着保持可能に構成したマグネットキャッチが使用されていた。この従来一般のマグネットキャッチは、ドアを閉状態に吸着保持する機能を有しているのみで、ドアが実際に閉鎖状態にあるのか、開放状態にあるのかは確認することができない。
【０００３】
そこで、従来のマグネットキャッチにリードスイッチを組み込んで、ドアの開閉に対応して電気接点を開閉成動作させるようにしたドア開閉確認機能を備えたドア吸着保持装置が既に提案されている（例えば実開昭６２−１１３２６５号公報など）。
【０００４】
【発明が解決しようとする課題】
しかし、従来から提案されているドア開閉確認機能を備えたドア吸着保持装置は、ドアの開閉に対応して開閉成動作される電気接点を有するリードスイッチのみがマグネットキャッチに組み込まれている構成である。従って、ドアの開閉状態を実際に確認できるようにするためには、リードスイッチの２本のリード線を延設して管理室などに引き込み、その引き込んだリード線にリードスイッチの開閉成動作に応答して点消灯する発光装置を接続することが必要である。そのため、ドアの開閉状態およびリードスイッチの作動状態を機器使用者等がその場で即座に確認することができない。
【０００５】
本発明は上記実情に鑑みてなされたもので、その目的は、機器使用者などがドアの開閉状態およびリードスイッチの作動状態をその場で即座に確認することができるドア吸着保持装置を提供することである。
【０００６】
【課題を解決するための手段】
前記目的を達成するために、本発明のドア吸着保持装置は、永久磁石の両磁極面にそれぞれヨークを配置して、ドア側に取り付けられた可動磁性体片を吸着保持可能なマグネットキャッチを構成するとともに、前記ヨークの一方の端縁に形成された突片側に、前記可動磁性体片の吸着保持時と離脱時とにおける磁束密度の変化により開閉成動作されるリードスイッチを配置してなるドア吸着保持装置において、前記リードスイッチの近傍部で、その内部回路には発光装置が設けられ、前記ドアが閉または開で、リードスイッチが開成または閉成状態にあるときにのみ、前記発光装置が点灯するように構成されていることを特徴とする。
【０００７】
本発明によれば、ドア側の可動磁性片がマグネットキャッチに吸着保持された時と離脱した時とでリードスイッチに及ぼす磁束密度が変化し、その結果、ドアの開閉に対応してリッドスイッチの接点が開成または閉成される。このリードスイッチの開成状態または閉成状態においてのみ、リードスイッチ近傍部に設けられた発光装置が点灯する。この発光装置の点灯を見ることによって、ドアの開閉状態およびリードスイッチの作動状態をその場で確認することが可能となる。
【０００８】
特に、これらリードスイッチ及び発光装置をマグネットキャッチと一体にケース内に収容し、このケースに発光装置の点灯を確認できる覗き窓を設けることによって、リードスイッチのガラス管及び接点を露出させず、ガラス管の破損やスイッチ特性の変化による異常動作の発生を防ぎつつ、発光装置の点灯によるドア開閉状態の確認を支障なく行うことができる。
【０００９】
また、前記リードスイッチ及び発光装置を透明ないし半透明の樹脂にモールドし、かつ、リードスイッチの２本のリード線を１本の耐油・耐水コードで被覆させる構成とすることにより、電子部品であるリードスイッチ及び発光装置の絶縁性が高められるとともに、耐油・耐水構造となり、いかなる条件下での使用にも高い信頼性を確保でき、それでいて、発光装置の点灯を明確に確認することができる。
【００１０】
【発明の実施の形態】
以下、本発明の実施の形態を図面にしたがって説明する。
図１はドア吸着保持装置の全体斜視図であり、図２はその装置の要部を分解して示す斜視図、図３はその装置の縦断正面図である。
このドア吸着保持装置Ｍは、厚み方向の両端面にＳ，Ｎの磁極が形成された直方体形状の永久磁石１の両磁極面にそれぞれ鉄板等のヨーク２Ａ，２Ｂを配置して構成されるマグネットキャッチ３を樹脂ケース４内に収容してなる。このマグネットキャッチ３は、ドア５側に取り付けられた鉄片等の可動磁性体片（アーマチュア片）６を前記ヨーク２Ａ，２Ｂの上側の長手方向端縁に吸着保持するように構成されている。
【００１１】
前記ヨーク２Ａ，２Ｂの下側の長手方向端縁には、方形の突片７Ａ，７Ｂが一体に形成されている。これら突片７Ａ，７Ｂは、前記永久磁石１の下面より下方へ突出し、かつ、永久磁石１の下面の対向線方向の両端近傍に位置している。また、前記樹脂ケース４には、取付孔８Ｌ，８Ｒを有する取付部９Ｌ，９Ｒが一体に形成されている。
【００１２】
前記マグネットキャッチ３を収容する樹脂ケース４内の底部には、前記一方のヨーク２Ａの突片７Ａを含む平面と他方のヨーク２Ｂの突片７Ｂを含む平面との間に位置するようにリードスイッチ１０が配置されている。このリードスイッチ１０の近傍部に配置させて、そのスイッチ内部回路に発光装置の一例となる発光ダイオードＬＥＤが接続されている。
【００１３】
すなわち、図４に明示するように、前記リードスイッチ１０に直列に保護抵抗Ｒを介して発光ダイオードＬＥＤが接続されているとともに、これら保護抵抗Ｒ及び発光ダイオードＬＥＤに対して並列にツェナーダイオードＺＤが接続されている。このような構成のスイッチ内部回路１１の動作について、以下簡単に説明する。
【００１４】
リードスイッチ１０の接点１０ａが閉成されると、電流が＋側より流れ込み、Ａ点でＺＤ方向とＲ方向とに分かれる。Ｒ方向の電流はＲからＬＥＤを通り、Ｂ点を通過してリードスイッチ１０より−側に流れる一方、ＺＤ方向の電流はＢ点より−側に流れる。ここで、Ａ点とＢ点の電位差はＺＤにより、＋，−の電圧が変化しても、ほぼ一定に保たれる。そのため、Ｒを通ってＬＥＤに流れる電流値も一定となり、ＬＥＤの点灯時の明るさは一定に保たれる。また、過電流が＋側から流れ込んだ時にも、ＺＤによってＲ及びＬＥＤは破壊より保護される。さらに、＋，−の配線接続を間違えたとしても、Ｂ点からＺＤを通してＡ点に電流が流れてＬＥＤは保護される。
【００１５】
上記したような構成及び動作を有するリードスイッチ１０及び発光ダイオードＬＥＤは、図２に示すように、透明樹脂１２にモールドされており、この透明樹脂１２を樹脂ケース４内に配置することで、リードスイッチ１０及び発光ダイオードＬＥＤが樹脂ケース４内に収容されている。この樹脂ケース４には発光ダイオードＬＥＤの点灯を確認するための覗き孔（覗き窓）１５が設けられている。また、前記リードスイッチ１０の２本のリード線１３ａ，１３ｂは耐候性を有する１本の耐油・耐水コード１４で被覆されている。この耐油・耐水コード１４の基端部分は前記透明樹脂１２にモールドされている。なお、覗き孔１５は透明の樹脂で閉塞して覗き窓としてもよい。
【００１６】
上記構成のドア吸着保持装置Ｍにおいて、図３（ａ）に示すように、ドア５が開放されて可動磁性体片６がマグネットキャッチ３のヨーク２Ａ，２Ｂから離脱した状態では、永久磁石１の周囲に形成される磁束の大半がヨーク２Ａ，２Ｂの突片７Ａ，７Ｂ間に漏洩し、突片７Ａ，７Ｂ間の磁束密度がリードスイッチ１０の感動値以上に大きくなる。したがって、リードスイッチ１０の接点１０ａが閉成（オン）され、このとき、図４の＋側から流れ込んだ電流が発光ダイオードＬＥＤを通過するため、この発光ダイオードＬＥＤが一定の明るさで点灯する。これを図１の覗き孔１５から見ることにより、ドア５の開放状態をその場で即座に確認することができる。
【００１７】
一方、図３（ｂ）に示すように、ドア５が閉鎖されて可動磁性体片６がマグネットキャッチ３のヨーク２Ａ，２Ｂに吸着保持された状態では、永久磁石１の周囲に形成される磁束の大半が可動磁性体片６側に貫流されて、ヨーク２Ａ，２Ｂの突片７Ａ，７Ｂ間の磁束密度がリードスイッチ１０の開放値以下になる。したがって、リードスイッチ１０の接点１０ａが開成（オフ）され、発光ダイオードＬＥＤには電流が流れないため、この発光ダイオードＬＥＤは消灯する。これを覗き孔１５から見ることにより、ドア５の閉鎖状態をその場で即座に確認することができる。
【００１８】
また、上記した実施の形態では、前記リードスイッチ１０及び発光ダイオードＬＥＤがマグネットキャッチ３と共に樹脂ケース４内に収容されているので、リードスイッチ１０のガラス管及び接点１０ａが露出されず、ガラス管の破損やスイッチ特性の変化による異常動作の発生を防止することができる。
【００１９】
さらに、リードスイッチ１０及び発光ダイオードＬＥＤが透明樹脂１２にモールドされ、かつ、リードスイッチ１０の２本のリード線１３ａ，１３ｂが耐候性を有する１本の耐油・耐水コード１４で被覆されているので、電子部品であるリードスイッチ１０及び発光ダイオードＬＥＤの絶縁性を高めるとともに、全体が耐候性を有し、かつ、耐油・耐水構造となり、いかなる条件下での使用時にも高い信頼性を確保することができる。
【００２０】
なお、上記実施の形態では、ドア５が開放状態にあるときにのみ、リードスイッチ１０が閉成されて発光ダイオードＬＥＤが点灯するように構成したが、これとは逆に、ドア５が閉鎖状態にあるときにのみ、リードスイッチ１０が閉成されて発光ダイオードＬＥＤが点灯し、ドア５の開放状態では消灯するように構成してもよい。
【００２１】
また、上記実施の形態では、スイッチ内部回路１１として図４に示すように、発光ダイオードＬＥＤの点灯時の明るさを一定に保ち、かつ、過電流や配線接続の間違いに対して発光ダイオードＬＥＤの保護機能を発揮するようにツェナーダイオードＺＤを並列接続した構成のものを用いたが、これ以外にも、図５に示すような簡易な構成のものを用いてもよい。
【００２２】
【発明の効果】
以上説明したように、本発明によれば、ドアの開閉に対応して接点が開閉動作されるリードスイッチの近傍部に発光装置を設け、この発光装置をドアが開または閉のときのみ点灯させるので、機器使用者等がドアの開閉状態をその場で即座に確認することができると共に、ドアを開閉することにより、発光装置が点灯するから、リードスイッチの作動状態も確認し得る。また、従来のように、リードスイッチの２本のリード線を延設して管理室などに引き込み、その引き込んだリード線にリードスイッチの開閉成動作に応答して点消灯する発光装置を接続していたものに比べて、配線工事などが不要で装置全体を低コストに、かつ小型に構成することができる
【図面の簡単な説明】
【図１】本発明のドア吸着保持装置の全体斜視図である。
【図２】同装置の要部を分解して示す斜視図である。
【図３】同装置のドア開放状態および閉鎖状態を示す縦断正面図である。
【図４】同装置におけるスイッチ内部回路の構成図である。
【図５】同装置におけるスイッチ内部回路の他の例を示す構成図である。
【符号の説明】
１：永久磁石
２Ａ，２Ｂ：ヨーク
３：マグネットキャッチ
４：樹脂ケース
５：ドア
６：可動磁性体片
７Ａ，７Ｂ：突片
１０：リードスイッチ
１２：透明樹脂
１３ａ，１３ｂ：リード線
１４：耐油・耐水コード
１５：覗き孔（覗き窓）
ＬＥＤ：発光ダイオード（発光装置の一例）
Ｍ：ドア吸着保持装置
【図１】
0003989638.tif 000002
【図２】
0003989638.tif 000003
【図３】
0003989638.tif 000004
【図４】
0003989638.tif 000005
【図５】
0003989638.tif 000006